【事件の表示】
　特許第２９５３８６９号「液晶表示器」の請求項１に係る特許に対する特許異議の申立てについて、次のとおり決定する。
【結　論】
　訂正を認める。
　特許第２９５３８６９号の請求項１に係る特許を維持する。
【理　由】
１．手続の経緯
　特許第２９５３８６９号の請求項１に係る発明は、平成４年７月２７日に出願されたものであって、平成１１年７月１６日にその特許の設定の登録がなされ、その後、セイコーエプソン株式会社より特許異議の申立がなされ、取消理由通知がなされ、その指定期間内の平成１２年８月１０日付けで訂正請求がなされたものである。
　　　
２．訂正の適否について
2．1　訂正の内容
　　　
（１）訂正事項ａ
　【特許請求の範囲】の【請求項１】の
「２枚のガラス板とシール材で形成される空室に液晶が収納されてなる液晶表示器において、前記ガラス板の少なくとも１つの面に形成され、且つ、通電によって熱を発生する透明導体パターンが液晶表示器の表示用の電極を兼ねていることを特徴とする液晶表示器。」を、
「２枚のガラス板とシール材で形成される空室に液晶が収納されてなる液晶表示器において、前記ガラス板の少なくとも１つの面に形成され、且つ、通電によって熱を発生するポリイミドで被覆された透明導体パターンが液晶表示器の表示用のコモン電極を兼ね、かつ、液晶表示機能に影響を与えない程度の周波数の通電のための印加電圧をコモン電圧波形に重ねて印加して液晶表示器の温度を一定に保持するようにしたことを特徴とする液晶表示器。」
と訂正する。
　　
（２）訂正事項ｂ
　特許明細書の段落 【０００５】の記載を訂正明細書のとおりに訂正する。
　　
（３）訂正事項ｃ
　特許明細書の段落 【０００７】の記載を訂正明細書のとおりに訂正する。
　　　　　
2．2　訂正の目的の適否、新規事項の有無及び拡張・変更の存否
　訂正事項ａは、特許明細書の【特許請求の範囲】に記載された、
「・・・通電によって熱を発生する透明導体パターンが液晶表示器の表示用の電極を兼ねていることを特徴とする液晶表示器。」を「・・・通電によって熱を発生するポリイミドで被覆された透明導体パターンが液晶表示器の表示用のコモン電極を兼ね、かつ、液晶表示機能に影響を与えない程度の周波数の通電のための印加電圧をコモン電圧波形に重ねて印加して液晶表示器の温度を一定に保持するようにしたことを特徴とする液晶表示器。」と限定するものであり、特許請求の範囲の減縮に該当し、訂正事項ｂは、上述した特許請求の範囲の訂正に伴って、それとの整合を図るために発明の詳細な説明を訂正するものであり、明りょうでない記載の釈明に該当する。そして、訂正事項ａ及びｂは、何れも特許明細書の段落【０００７】、【０００８】及び【０００９】の記載に基づくもので、願書に添付した明細書又は図面に記載した事項の範囲内のものである。訂正事項ｃは、誤記の訂正に該当し、しかも、願書に最初に添付した明細書又は図面に記載した事項の範囲内のものである。また、訂正事項ａ乃至ｃは、何れも実質上特許請求の範囲を拡張し、又は変更するものではない。
　　　　　　
2．3　結論
　以上のとおりであるから、本件訂正は、特許法第１２０条の４第２項並びに同条第３項で準用する平成６年法律第１１６号による改正前の特許法第１２６条第１項ただし書き及び第２項の規定に適合するので、当該訂正を認める。
　　　
３．申立理由及び取消理由の概要
3．1　申立理由の概要
　本件特許異議申立人 セイコーエプソン株式会社は、甲第１号証として特開昭５５−１１４９０８号公報（以下、「刊行物１」という。）、甲第２号証として特開平２−３０９３１９号公報（以下、「刊行物２」という。）及び甲第３号証として特開昭５８−１５０９３６号公報（以下、「刊行物３」という。）を提出して、本件の訂正前の請求項１に係る発明は、刊行物１〜３に記載された発明であるか、或いは、同発明から当業者が容易に発明をすることができたものであるから、特許法第２９条第１項又は同条第２項の規定に違反して特許されたものである、というものである。
3．2　取消理由の概要
（3．1の申立理由に加えて）本件の訂正前の請求項１に係る発明は、特開昭５８−１５２２２１号公報（以下、「刊行物４」という。）、特開昭５７−１０１１９号公報（以下、「刊行物５」という。）、特開昭６２−２４５２１９号公報（以下、「刊行物６」という。）及び実開平２−４５５２４号公報（以下、「刊行物７」という。）に記載された発明であるか、或いは、同発明から当業者が容易に発明をすることができたものであるから、特許法第２９条第１項又は同条第２項の規定に違反して特許されたものである、というものである。
　　　　
４．本件発明
　本件の請求項１に係る発明は、訂正された特許明細書の記載からみて、その特許請求の範囲の請求項１に記載された次のとおりのものである。
「２枚のガラス板とシール材で形成される空室に液晶が収納されてなる液晶表示器において、前記ガラス板の少なくとも１つの面に形成され、且つ、通電によって熱を発生するポリイミドで被覆された透明導体パターンが液晶表示器の表示用のコモン電極を兼ね、かつ、液晶表示機能に影響を与えない程度の周波数の通電のための印加電圧をコモン電圧波形に重ねて印加して液晶表示器の温度を一定に保持するようにしたことを特徴とする液晶表示器。」
　　　　　　
５．引用刊行物記載の発明
　刊行物１には、２枚のガラス板とシール材で形成される空室に液晶が収納されてなる液晶表示器について記載され、ガラス基板の面に形成された表示用の電極が、通電によって液晶層を加温する発熱体を兼ねていること、が記載されている。
　　　　
　刊行物２には、共通電極をヒータ電極として兼用した液晶表示素子について記載され、前記共通電極の両端にそれぞれ大きさの異なる電圧を印加し、この電圧印加による電位の偏りを補正する電圧を重畳したビデオ信号を印加すること、が記載されている。
　　　　
　刊行物３には、ガラス基板上に設けた発熱抵抗体を兼ねる電極を備えたカラー液晶表示素子について記載され、当該電極に短い電流パルスを与え、その部分だけ選択的に液晶分子を等方性液体の状態にし、その部分にある色素を着色した状態とすること、が記載されている。
　　　
　刊行物４には、上記刊行物３に記載された事項と同様の事項が記載されている。
　　　
　刊行物５には、液晶セル電極基板内側面上の透明導電膜よりなる表示用電極に電流を流して加熱用抵抗体として利用し、熱伝導度の低いガラス基板を介さずに、直接効率良く液晶を加熱するようにした液晶表示装置について記載されている。
　　　　
　刊行物６には、基板上の透明電極をヒーターとして利用することにより、加熱ヒーター等の外部の装置を使わずに効率よく基板等を熱することができる液晶表示装置の製造方法について記載されている。
　　　
　刊行物７には、共通電極の両端に電位差が発生する電圧を印加することにより前記共通電極を発熱させることを特徴とする液晶シャッタについて記載されている。
　　　　　　
６．対比・判断
　本件の請求項１に係る発明（以下、「本件発明」という。）と、刊行物１〜７に記載された発明とを対比すると、刊行物１〜７には、本件発明の構成である、「通電によって熱を発生する透明導体パターンが液晶表示器の表示用のコモン電極を兼ね、かつ、液晶表示機能に影響を与えない程度の周波数の通電のための印加電圧をコモン電圧波形に重ねて印加して液晶表示器の温度を一定に保持するようにしたこと」について記載されておらず、示唆されていない。
　一方、本件発明は、上記構成を備えることにより、何ら電極パターン形状の付加、増加を要することなく、しかも、液晶表示機能に影響を与えることなく、周囲温度が非常に低くなっても、透明導体パターンに通電することにより、その発生熱で、液晶表示器を一定の温度に保持することができ、したがって周囲温度に影響を受けることなく、一定の表示特性を得ることができる旨の明細書記載の顕著な効果を奏すると認められる。
　したがって、本件発明が、刊行物１〜７に記載された発明である、ということができず、また、同発明から当業者が容易に発明をすることができたものである、ということができない。
　　　
７．むすび
　以上のとおりであるから、特許異議申立の理由及び取消理由によっては、本件請求項１に係る発明の特許を取り消すことはできない。
　また、他に本件請求項１に係る発明の特許を取り消すべき理由を発見しない。
　よって、結論のとおり決定する。
【異議決定日】
平成１３年６月１５日（２００１．６．１５）
【訂正の要旨】
　訂正の要旨
　▲１▼　訂正事項ａ
　明細書の【特許請求の範囲】の【請求項１】の
「２枚のガラス板とシール材で形成される空室に液晶が収納されてなる液晶表示器において、前記ガラス板の少なくとも１つの面に形成され、且つ、通電によって熱を発生する透明導体パターンが液晶表示器の表示用の電極を兼ねていることを特徴とする液晶表示器。」を特許請求の範囲の減縮を目的として
「２枚のガラス板とシール材で形成される空室に液晶が収納されてなる液晶表示器において、前記ガラス板の少なくとも１つの面に形成され、且つ、通電によって熱を発生する
ポリイミドで被覆された
コモン
、かつ、液晶表示機能に影響を与えない程度の周波数の通電のための印加電圧をコモン電圧波形に重ねて印加して液晶表示器の温度を一定に保持するようにした
　これに伴い、【特許請求の範囲】の【請求項１】の記載と発明の詳細な
　説明の記載との整合を図るため、
　▲２▼　訂正事項ｂ
　明細書の段落番号【０００５】の
　「この発明の液晶表示器は、２枚のガラス板とシール材で形成される空室に液晶が収納されてなるものにおいて、前記ガラス板の少なくとも１つの面に形成され、且つ、通電によって熱を発生する透明導体が液晶表示器の表示用の電極を兼ねている。
　この液晶表示器では、例えば周囲温度が低くても透明導体パターンに通電することにより、発生するジュール熱で、液晶の温度を上昇させ、適正な温度となし得るので、常に一定の表示特性を得ることができる。」を明瞭でない記載の釈明を目的として、
　「この発明の液晶表示器は、２枚のガラス板とシール材で形成される空室に液晶が収納されてなるものにおいて、前記ガラス板の少なくとも１つの面に形成され、且つ、通電によって熱を発生する
ポリイミドで被覆された
コモン
、かつ、液晶表示機能に影響を与えない程度の周波数の通電のための印加電圧をコモン電圧波形に重ねて印加して液晶表示器の温度を一定に保持するようにしている。
　この液晶表示器では、例えば周囲温度が低くても透明導体パターンに通電することにより、発生するジュール熱で、液晶の温度を上昇させ、適正な温度となし得るので、常に一定の表示特性を得ることができる。」と訂正する。
　▲３▼　訂正事項ｃ
　明細書の段落番号【０００７】の
　「この実施例液晶表示器は、図２に示すように、２枚のガラス板１，５とシール材４で形成される空室に液晶５ａが収納されている。またガラス板１の裏面にはポリイミド７で被覆されたセグメント電極２が形成され、ガラス板５の上面、つまり内面には、ポリイミド８で被覆されたコモン電極６が設けられている。このコモン電極６は温度調整用の透明の導体パターンとして兼用している。さらにガラス板１，５の外部には、それぞれ偏光板９、１１が配置されている。もっとも、コモン電極と温度調整用の透明の導体パターンとを兼用することを除き、上記構成の液晶表示器は、すでによく知られたものである。」を誤記の訂正を目的として、
　「この実施例液晶表示器は、図２に示すように、２枚のガラス板１，５とシール材４で形成される空室に液晶５ａが収納されている。またガラス板１の裏面にはポリイミド７で被覆されたセグメント電極２が形成され、ガラス板５の上面、つまり内面には、ポリイミド８で被覆されたコモン電極６が設けられている。このコモン電極６は温度調整用の透明の導体パターンとして兼用している。さらにガラス板１，５の外部には、それぞれ偏光板９、１１が配置されている。」と訂正する。
（５４）【発明の名称】
液晶表示器
（５７）【特許請求の範囲】
　【請求項１】
　２枚のガラス板とシール材で形成される空室に液晶が収納されてなる液晶表示器において、
　前記ガラス板の少なくとも１つの面に形成され、且つ、通電によって熱を発生する
ポリイミドで被覆された
コモン
、かつ、液晶表示機能に影響を与えない程度の周波数の通電のための印加電圧をコモン電圧波形に重ねて印加して液晶表示器の温度を一定に保持するようにした
【発明の詳細な説明】
　【０００１】
　【産業上の利用分野】
　この発明は、液晶表示器、特に周囲温度の影響を受けにくい液晶表示器に関する。
　【０００２】
　【従来の技術】
　一般によく知られた液晶表示器は、２枚のガラス板と、この２枚のガラス板を一定距離セパレートするシール材とで構成される空室に液晶を収納する一方、空室内の２枚のガラス板の一方には、コモン電極を形成し、他方のガラス板の内面にセグメント電極を形成し、表示内容に応じ選択されたセグメント電極とコモン電極間に電圧を印加することにより、選択セグメント部の液晶の特性を変化させて、他の部分との色を変化させて、表示作用を行っている。また、電極は互いに格子状に、配列されたものもある。
　【０００３】
　【発明が解決しようとする課題】
　液晶表示器は、それ自体で、あるいは組み込まれた電子機器本体とともに、移動、携帯して使用される場合が多い。このため使用温度が場所によって異なり、特に厳寒の中で使用すると、表示応答性が悪化したり、結露が生じたりと、その温度の影響を受けやすい。ことに、液晶は液体と固体の中間特性を持つため、温度により、表示特性が大幅に変化し、しかも使用温度範囲に強く制限を受けるという問題があった。
　【０００４】
　この発明は上記問題点に着目してなされたものであって、周囲温度の影響を受けることなく、所定の表示特性が得られる液晶表示器を提供することを目的としている。
　【０００５】
　【課題を解決するための手段及び作用】
　この発明の液晶表示器は、２枚のガラス板とシール材で形成される空室に液晶が収納されてなるものにおいて、前記ガラス板の少なくとも１つの面に形成され、且つ、通電によって熱を発生する
ポリイミドで被覆された
コモン
、かつ、液晶表示機能に影響を与えない程度の周波数の通電のための印加電圧をコモン電圧波形に重ねて印加して液晶表示器の温度を一定に保持するようにしている。
　この液晶表示器では、例えば周囲温度が低くても透明胴体パターンに通電することにより、発生するジュール熱で、液晶の温度を上昇させ、適正な温度となし得るので、常に一定の表示特性を得ることができる。
　【０００６】
　【実施例】
　以下、実施例により、この発明を更に詳細に説明する。
図１は、この発明の一実施例を示す液晶表示器の一方の、ガラス板の透明導体パターンの配置例を示す平面図である。図２は、同実施例液晶表示器の断面図である。この実施例液晶表示器１０では、上面ガラス板１の内面に、表示用の透明のセグメント電極２とが形成されている。なお、図１において、４はシール材である。
　【０００７】
　この実施例液晶表示器は、図２に示すように、２枚のガラス板１、５とシール材４で形成される空室に液晶５ａが収納されている。またガラス板１の裏面にはポリイミド７で被覆されたセグメント電極２が形成され、ガラス板５の上面、つまり内面にはポリイミド８で被覆されたコモン電極６が設けられている。このコモン電極６は温度調整用の透明の導体パターンとして兼用している。さらにガラス板１、５の外部には、それぞれ偏光板９，１１が配置されている。
　【０００８】
　図３は、この発明の実施例液晶表示器の下面の平面図である。この発明の実施例の特徴は、図３に示すように、コモン電極６を、温度調整用の通電のため透明導体パターンに兼用したものである。この液晶表示器では、通電のための印加電圧は、コモン電圧波形に重ねて印加する。もっとも、印加電圧は液晶表示機能に影響を与えない程度の周波数とする。
　【０００９】
　この実施例液晶表示器１０の特徴は、コモン電極６を温度調整用の透明導体パターン３と兼用したことにある。この透明導体パターン３に、交流信号源１２より、通電すると、ジュール熱が発生し、この熱によって、液晶表示器１０の温度を一定に保つことができる。特に低温環境下で液晶表示器を使用する場合にでも、所定の温度に保つことができるので、使用効果が大きく、低温時の応答速度の低下を防止し動作温度範囲を拡大できる。また、液晶表示器の温度を使用動作温度のＭＡＸ値で一定に保てば、全ての使用環境温度範囲内で特性一定とすることが可能となる。
　【００１０】
　なお、上記実施例では、通電用の透明導体パターンを、ガラス板１，５の内面、つまり液晶ギャップ内に設ける場合について説明したが、通電用の透明導体パターンを、ガラス板の外面に形成してもよい。この場合、通電用の電源は交流、直流のいずれであってもよい。
　また、上記実施例は、表示部が日の字式セグメントの場合を例を上げたが、ドット式等、他の表示形式のものにも、本発明が適用できることはいうまでもない。
　【００１１】
　【発明の効果】
　この発明によれば、ガラス板の少なくも１つの面に形成され、且つ、通電によって熱を発生する透明導体パターンが液晶表示器の表示用の電極を兼ねるものであるから、何ら電極パターン形状の付加、増加を要することなく、周囲温度が非常に低くなっても、この透明導体パターンに通電することにより、その発生熱で、液晶表示器を一定の温度に保持することができ、したがって周囲温度に影響を受けることなく、一定の表示特性を得ることができる。
【図面の簡単な説明】
　【図１】
　この発明の一実施例液晶表示器の表示セグメントパターンと、通電用の透明導体パターンを示す平面図である。
　【図２】
　実施例液晶表示器の断面図である。
　【図３】
　前記実施例液晶表示器のコモン電極と通電用透明導体パターンを示す平面図である。
　【符号の説明】
　　１・・・ガラス板
　　２・・・表示用セグメント電極
　　６・・・温度調整用とコモン用と兼用の透明導体パターン
　１２・・・交流信号源